(57)【要約】  画像を伝達する光ファイババンドルは、画像入力端部と画像出力端部との間でバンドルの中心軸線に沿って延在する。前記バンドルはその長さの一部にわたってねじられており、その結果、画像入力端部に入力された画像は、画像出力端部を通じて出力される前に、バンドルの中心軸線周りの角変位を生じる。構成要素である各光ファイバは、該ファイバのファイバ直径と一致するクラッド直径を有するクラッドと、コア直径を有するコアとを含む。コア直径とクラッド直径との比によって、各ファイバについてのコア対クラッド直径比が定められる。様々な実施形態において、ファイバ直径およびコア対クラッド直径比のうちの少なくとも一方は、バンドルの中心軸線からのファイバの半径方向の変位に応じて変化する。
2019502963.tif 000002
【特許請求の範囲】
【請求項１】
画像入力端部と画像出力端部とを有する、画像を伝達する剛性の光ファイババンドルにおいて、該バンドルは、
融着された構成要素である複数の光ファイバであって、各光ファイバが、画像入力端部と一致する第１の端部と、画像出力端部と一致する第２の端部とを有する光ファイバ
を含み、ここで、
（ｉ）前記バンドルは、バンドルの中心軸線に沿って長手方向に延在し；
（ｉｉ）前記バンドルは、少なくとも第１のファイバ帯域および第２のファイバ帯域を含む少なくとも２つのファイバ帯域を複数含み、前記第１および第２のファイバ帯域は、
前記バンドルの中心軸線周りに同心円状に配列されているとともに、
（ａ）前記第１のファイバ帯域が前記第２のファイバ帯域よりも前記バンドルの中心軸線の近くにあり、かつ
（ｂ）前記第１のファイバ帯域内の構成要素である光ファイバの全ファイバ直径の平均が、前記第２のファイバ帯域内の構成要素である光ファイバの全ファイバ直径の平均よりも小さくなる
ように画定され、かつ
（ｉｉｉ）前記バンドルは、その長さの一部にわたってねじられており、その結果、前記画像入力端部に入力された画像が、前記画像出力端部を通じて出力される前に前記バンドルの中心軸線周りの角変位を生じる
光ファイババンドル。
【請求項２】
前記バンドルは、その長さにわたって前記バンドルの中心軸線周りに１８０度ねじられており、その結果、前記画像出力端部を通じて出力された画像が、前記画像入力端部に入力された相応する画像に対して反転され、それによってイメージインバータが画定される、請求項１記載の光ファイババンドル。
【請求項３】
（ｉ）前記構成要素である各光ファイバは、コア直径を有するコアとクラッド直径を有するクラッドとを含み、前記コア直径と前記クラッド直径との比によって、該ファイバについてのコア対クラッド直径比が定められ、かつ（ｉｉ）前記構成要素である複数の光ファイバのコア対クラッド直径比がファイバ帯域に応じて変化しないように構成されている、請求項２記載のイメージインバータ。
【請求項４】
（ｉ）前記構成要素である各光ファイバは、コア直径を有するコアとクラッド直径を有するクラッドとを含み、前記コア直径と前記クラッド直径との比によって、該ファイバについてのコア対クラッド直径比が定められ、かつ（ｉｉ）前記構成要素である複数の光ファイバのコア対クラッド直径比がファイバ帯域に応じて変化しないように構成されている、請求項１記載の光ファイババンドル。
【請求項５】
前記コアおよび前記クラッドのうちの少なくとも一方は、高分子材料を含む、請求項４記載の光ファイババンドル。
【請求項６】
前記コアおよび前記クラッドのうちの少なくとも一方は、高分子材料を含む、請求項１記載の光ファイババンドル。
【請求項７】
画像入力端部と画像出力端部との間でバンドルの中心軸線に沿って長手方向に延在し、かつその長さの一部にわたってねじられており、その結果、画像入力端部に入力された画像が、画像出力端部を通じて出力される前に前記バンドルの中心軸線周りの角変位を生じる、画像を伝達する剛性の光ファイババンドルにおいて、該バンドルは、
融着された構成要素である複数の光ファイバであって、各光ファイバが、画像入力端部と一致する第１の端部と、画像出力端部と一致する第２の端部とを有する光ファイバ
を含み、ここで、該光ファイババンドルの選択された横断面で見た場合に、
（ｉ）前記構成要素である光ファイバのファイバ直径は、前記バンドルの中心軸線からの半径方向の変位に応じて増大すること；および
（ｉｉ）前記構成要素である各光ファイバは、該ファイバのファイバ直径と一致するクラッド直径を有するクラッドと、コア直径を有するコアとを含み、前記コア直径と前記クラッド直径との比によって、該ファイバについてのコア対クラッド直径比が定められ、かつ前記構成要素である複数の光ファイバのコア対クラッド直径比は、前記バンドルの中心軸線からの半径方向の変位に応じて変化すること
の少なくとも１つが成り立つ、前記光ファイババンドル。
【請求項８】
横断面で見た場合に、前記構成要素である複数の光ファイバのコア対クラッド直径比が、前記バンドルの中心軸線からの半径方向の変位に応じて減少するように構成されている、請求項７記載の光ファイババンドル。
【請求項９】
横断面で見た場合に、前記構成要素である光ファイバのファイバ直径が、前記バンドルの中心軸線からの半径方向の変位に対して一定であるように構成されている、請求項８記載の光ファイババンドル。
【請求項１０】
横断面で見た場合に、前記構成要素である光ファイバのファイバ直径が、前記バンドルの中心軸線からの半径方向の変位に対して一定であるように構成されている、請求項７記載の光ファイババンドル。
【請求項１１】
前記コアおよび前記クラッドのうちの少なくとも一方は、高分子材料を含む、請求項１０記載の光ファイババンドル。
【請求項１２】
前記コアおよび前記クラッドのうちの少なくとも一方は、高分子材料を含む、請求項７記載の光ファイババンドル。
【発明の詳細な説明】
【技術分野】
【０００１】
背景
融着された光ファイバから構成されるバンドルを通じた、画像の、より全般的には電磁波の伝送は、確立された技術である。イメージコンジット、例えばインバータ（すなわちイメージインバータ）、テーパおよび「ストレートスルー」は、光ファイバ技術の当業者に知られている。溶融型光ファイバのイメージコンジットは、非限定的な例として、暗視ゴーグル、ライフルスコープ、Ｘ線検出器および医療用撮像装置などの装置における構成部品として幅広く適用されている。
【０００２】
上記で挙げた各例の基本的な製造技術は、共通の方法工程を有する。例えば、溶融型光ファイバのイメージコンジットの最も基本的なものは、入力（例えば画像を受ける）端部と出力（例えば画像を出す）端部とを有する１対１の線形コンジットである。入力端部に隣接する物体から反射された光が、画像として入力端部に入射する。この画像がコンジットを通じて伝達されて出力端部から出て、この出力端部から検出装置または人間の目によってその画像が検知される。単純な１対１のコンジットでは、画像は意図的に変更されることなく出力端部から出る。例えば、画像は拡大も縮小もされず、またコンジットの長手軸線周りの角変位を生じることもない。
【０００３】
図１Ａおよび図１Ｂに示すように、当技術分野で知られている通り、基本的な１対１のイメージコンジット（図１Ａ）は、インバータ（図１Ｂ）の製造における中間製品である。インバータを製造するために、１対１のコンジットを適切な温度に加熱する。次いで、コンジットの一方の端部について、反対側の端部に対してコンジットの長手軸線周りの角変位を生じさせる（すなわち、ねじる）。インバータの場合、一方の端部を、もう一方の端部に対して１８０度ねじる。適切に制御して実行される場合、この方法によって、入出力の各端部の面の元の構成は維持されているが、一方の端部がもう一方の端部に対して反転されている、というインバータが製造される。それに応じて、画像を受信する端部に入る画像が回転する。なぜならば、この画像が溶融型バンドル内の構成要素であるファイバを通じて伝達され、そして反転された状態で画像を出す端部から出るためである。
【０００４】
加熱されたバンドルは、コンジットの一方の端部が反対側の端部に対して長手軸線周りの角変位を生じるようにねじられる。そのため、バンドル内の構成要素であるファイバが長さ方向に延伸されることが容易に理解されよう。さらに、バンドルのうちより周辺部に近いファイバは、より中心部の近くに位置するファイバよりも大幅に延伸される。その結果、より周辺部に近い方のファイバは、より中心部の近くにあるファイバ、特に中心領域におけるファイバよりも、その長さにわたって直径が大幅に減少する。従来の製造方法によれば、バンドルの構成要素であるファイバは断面寸法がすべて同一であり、周辺部のファイバは時として、その効率的な光伝送能力に悪影響が及ぶほどに延伸されて細くなり、それによって、口径食などの望ましくない画像効果が生じることになる。周辺部のファイバが細くなることで画像が劣化するが、これを回避するための１つの方法は、比較的長いバンドル長にわたって所望の角度数にバンドルをねじることである。しかしその結果、バンドルが、目的の環境または用途で使用するには過度に長く、重くかつ扱いにくいものとなる。
【０００５】
したがって、比較的短いバンドル長での画像の反転を促進するとともに、従来の溶融型バンドルのイメージインバータに伴う望ましくない周辺部の画像の劣化を防ぐ、溶融型ファイバのバンドル、および該バンドルからインバータを形成する方法が求められている。
【０００６】
概要
画像入力端部と画像出力端部との間のバンドルの中心軸線に沿って長手方向に延在する、画像を伝達する光ファイババンドルの例示的な一実施形態。向かい合う画像入力端部と出力端部との間には、互いに融着された構成要素である複数の光ファイバが延在する。構成要素である各光ファイバは、画像入力端部と一致する第１の端部と、画像出力端部と一致する第２の端部とを有する。様々な実施形態において、構成要素である各光ファイバは、画像入力端部と画像出力端部との間で入力画像の微小部分を伝達できる撮像ファイバとして構成されている。さらに、光ファイババンドルはバンドルの中心軸線周りでその長さの一部にわたってねじられており、その結果、画像入力端部に入力された画像は、画像出力端部を通じて出力される前にバンドルの中心軸線周りの角変位を生じている。
【０００７】
一般的な従来技術の通り、構成要素である各光ファイバは、光学的な伝送が可能なコアを含み、その周辺には、コラプス処理して溶融させた光クラッドが存在し、これらのコアおよびクラッドが相対的屈折率を有することで、コアを通じた内部全反射による電磁波の伝播が促進される。クラッドが、ファイバ直径に相当するクラッド直径によって定められるのに対して、コアは、コア直径により定められる。このコア直径とクラッド直径との比によって、各ファイバについてのコア対クラッド直径比が定められる。
【０００８】
いくつかの変形形態において、構成要素である光ファイバのファイバ直径は、バンドルの中心軸線からの半径方向の変位に応じて増加する。すなわち、バンドルの中心軸線に直交する、バンドルの選択された横断面で見た場合に、バンドルのうち、より外側境界に近い光ファイバは、よりバンドルの中心軸線に近い光ファイバよりも、ファイバ直径が大きい。
【０００９】
いくつかの他の各実施形態において、構成要素である光ファイバのコア対クラッド直径比は、バンドルの中心軸線からの半径方向の変位に応じて変化する。すなわち、よりバンドルの中心軸線に近い光ファイバは、バンドルの中心軸線から半径方向により離れた位置にある光ファイバのコア対クラッド直径比と意図的に異なるコア対クラッド直径比を示す。少なくとも１つの変形形態において、バンドルの中心軸線に直交するバンドルの横断面で見た場合に、構成要素である複数の光ファイバのコア対クラッド直径比は、バンドルの中心軸線からの半径方向の変位に応じて減少するように構成されている。さらなる他の特定の変形形態では、コア対クラッド直径比がバンドルの中心軸線に対する半径方向の位置に応じて変化するとともに、あるケースでは、構成要素である光ファイバのファイバ直径がバンドルの中心軸線からの半径方向の変位に対して一定のままとなるように構成されてよく、また他のケースでは、構成要素である光ファイバのファイバ直径がバンドルの中心軸線からの半径方向の変位に応じて変化するように構成されてよい。
【００１０】
代表的な実施形態について、以下の詳細な説明および付属の図面においてより完全に記載および図示する。
【図面の簡単な説明】
【００１１】
【図１Ａ】図１Ａに、「ストレートスルー」とも呼ばれる、従来技術の線形の溶融型イメージコンジットを示す。
【図１Ｂ】図１Ｂに、従来技術の、画像を反転させる溶融型光ファイバコンジットを示す。
【図２】図２に、光ファイババンドル（画像を反転させる光ファイババンドルを含む）の横断面を模式的に示す。これは、ファイバ直径がバンドルの中心軸線からの半径方向の変位に応じて変化する本発明の態様の実施形態である。
【図２Ａ】図２Ａは、本発明により製造される、画像を反転させる光ファイババンドルの側面斜視図である。
【図３】図３は、画像を反転させる光ファイババンドルであって、ファイバ直径は一定であるが、コア直径がバンドルの中心軸線からの半径方向の変位に応じて変化するものの模式断面図である。
【図４】図４は、画像を反転させる光ファイババンドルであって、ファイバ直径は一定であるが、コア直径がバンドルの中心軸線からの半径方向の変位に応じて変化する、上記のものとは異なるバンドルの模式断面図である。
【００１２】
詳細な説明
様々に実施される窩状（ｆｏｖｅａｌ）イメージインバータおよびその製造方法についての以下の説明は、例示であって、本発明またはその使用用途を限定するものではない。それに応じて、概要および詳細な説明に記載された様々な実装形態、態様、変形形態および実施形態は、付属の特許請求の範囲に包含される非限定的な例であって、これにより特許請求の範囲の最も広い範囲が定められるものではない。
【００１３】
標準的な溶融型光ファイババンドル（溶融型バンドルイメージインバータの特定のケースを含む）の製造に関連する工程の多くを、本発明の範囲および企図の範囲に包含される光ファイババンドルおよびイメージインバータの製造に適用することができる。これらの工程については、背景（これとともに図１Ａおよび図１Ｂが参照される）に概要を述べた。それに応じて、標準的な溶融型光ファイババンドル（標準的な溶融型バンドルイメージインバータを含む）と、本明細書に付属する特許請求の範囲で定められる本発明の範囲および企図に包含される窩状光ファイババンドルおよびイメージインバータとの根本的な相違を説明する目的で、主に図２を参照する。図１Ａおよび図１Ｂの標準的な光ファイババンドルが、本発明の範囲に包含される実施形態と共通する要素を含む限り、こうした要素が参照されることで、これに関する開示がサポートされ得る。
【００１４】
図２に、画像を伝達する剛性の光ファイババンドル１０の横断面を模式的に図示する。この光ファイババンドル１０は、構成要素である複数の光ファイバ２０を含むとともに、画像入力端部１６と画像出力端部１８との間でバンドルの中心軸線ＡCBに沿って長さ方向に延在する。各光ファイバ２０はコア２２およびクラッド２４を含み、これらは、ファイバの第１の端部２６とファイバの第２の端部２８との間に延在する。このファイバの第１の端部２６とファイバの第２の端部２８とはそれぞれ、光ファイババンドル１０の画像入力端部２６と画像出力端部２８とに一致する。
【００１５】
様々な態様において、コア２２およびクラッド２４は、光学的な伝送が可能である屈折率の異なる材料を含んでおり、それによって、当技術分野で知られている通り内部反射が促進される。その他の変形形態では、コア２２およびクラッド２４のうちの少なくとも一方は、ガラスを含む。しかし、コア２２およびクラッド２４のうちの少なくとも一方が高分子材料（例えばプラスチック）を含む実施形態も、本発明の範囲および企図に包含される。他の、コア２２およびクラッド２４のうちの少なくとも一方がポリマーから製造される変法においては、各光ファイバ２０のクラッド２４とコア２２とを、例えばガラスファイバの典型である熱溶融や光学用エポキシなどの他の手段によって、互いに結合または「融合」させることができる。他の類似の手段によって、光ファイババンドル１０内の複数の光ファイバ２０を互いに結合させてもよい。さらに別の変形形態では、ガラスおよびポリマーのうちの少なくとも一方を含む各光ファイバ２０を、クラッド２４の形成材料とは無関係のマトリックス３０によって、光ファイババンドル１０全体の中で該各ファイバの各位置に保持することもできる。マトリックス３０は、例えばポリマー、ガラスおよび／または光学用エポキシを含み得る。
【００１６】
模式断面図が考慮されるため、光ファイババンドル１０は、ストレートスルーであってもイメージインバータであってもよいことが容易に理解されよう。なぜならば、これらの種類の溶融型バンドルの平面断面は、区別がつかない場合があるためである。さらに、図２の光ファイババンドル１０の構成要素である光ファイバ２０は六角形状に充填されてはいるが、本発明の包括的な概念には、非限定的な例として、円形／円柱形、正方形、長方形など他の多数のファイバ充填配列が包含されること、そして、この充填配列が新規性の中心的役割を担うわけではないことが理解されるべきである。構成要素である光ファイバ２０自体の断面形状についても、同様のことが該当する。実際には、少なくとも１つの実施形態では、円形／円柱形、正方形、長方形、六角形などに加えて五角形のファイバ２０の使用が想定され、これによって、バンドル１０内の各光ファイバ２０の間に介在性のＥＭＡ（ｅｘｔｒａｍｕｒａｌ  ａｂｓｏｒｐｔｉｏｎ）ファイバを含めることが、ある程度可能となる。それに応じて、そして重要なことは、光ファイバ２０もバンドル１０も様々な断面形状であってよいため、「直径」という用語が用いられても、それは円形の断面形状が示唆されていることにはならない、ということである。より具体的には「直径」とはしばしば、狭義には円を画定する曲線内に嵌まり得る最長の弦のことであるが、その用語のより技術的かつ数学的な定義を本明細書および付属の特許請求の範囲に適用することができる。例えば、正方形、長方形、六角形、さらには不規則な形における弦も直径である。それに応じて、上記の説明、詳細な説明、付属の特許請求の範囲または図面のいずれにおいても、「直径」という用語は、考えられる一般的な語法や技術的かつ数学的な語法よりも狭義なものと解釈されるべきではない。さらに、「半径」とは、いずれの場合にも、特に明記されない限り所与の直径の長さの半分である。
【００１７】
本発明の概念の典型例は、光ファイババンドル１０に、バンドルの中心軸線ＡCB周りに同心円状に配列された複数のファイバ帯域Ｚ1〜Ｚxを含めることであり、ここで、Ｚ1は、バンドルの中心軸線ＡCBの最も近くに位置しかつ／またはバンドルの中心軸線ＡCBを含むファイバ帯域であり、Ｚxは、「最も外側の」ファイバ帯域である（すなわち、このファイバ帯域は、バンドルの中心軸線ＡCBから半径方向に最も離れている）。さらに、ファイバ帯域Ｚ1〜Ｚxを光ファイバ２０が占めており、該ファイバ２０のファイバ直径ＤFは、帯域によって異なる。さらに具体的に言えば、第１のファイバ帯域Ｚ1内の構成要素である光ファイバ２０の全ファイバ直径の平均ＤFは、この第１のファイバ帯域よりもＡCBから半径方向に離れている各ファイバ帯域内の構成要素である光ファイバ２０の全ファイバ直径の平均ＤFよりも小さい。さらに総じて、各ファイバ帯域内の光ファイバ２０の全ファイバ直径の平均ＤFは、該ファイバ帯域よりもバンドルの中心軸線ＡCBに近い各ファイバ帯域内の光ファイバ２０の全ファイバ直径の平均ＤFよりも大きく、また該ファイバ帯域よりもバンドルの中心軸線ＡCBから半径方向に離れている各ファイバ帯域内の光ファイバ２０の全ファイバ直径の平均ＤFよりも小さい。
【００１８】
非限定的な具体例として、図２に図示した光ファイババンドル１０は、Ｚ1、Ｚ2、Ｚ3およびＺ4（この場合ｘ＝４である）として参照される４つの「ファイバ帯域」を含む。ファイバ帯域Ｚ1（最も内側の「中心帯域」）は、最小のファイバ直径ＤF（例えば２．０ミクロン〜３．０ミクロン）を有する光ファイバ２０を含む。このファイバ帯域Ｚ1の周りに同心円状に配列されている最初の帯域がファイバ帯域Ｚ2であり、このファイバ帯域Ｚ2は、ファイバ帯域Ｚ1の光ファイバ２０よりもファイバ直径ＤFがわずかに大きい（例えば３．０ミクロン〜６．０ミクロン）光ファイバ２０を含む。このファイバ帯域Ｚ2の周りに同心円状に配列されているのがファイバ帯域Ｚ3であり、このファイバ帯域Ｚ3は、ファイバ直径ＤFがさらに大きい（例えば６．０ミクロン〜１０．０ミクロン）光ファイバ２０から構成される。このファイバ帯域Ｚ3の周りに同心円状に配列されているのが、最も外側の帯域であるファイバ帯域Ｚ4であり、このファイバ帯域Ｚ4は、全ファイバ直径ＤFがバンドル１０内で最も大きい（例えば１０．０ミクロン〜１２．０ミクロン）光ファイバ２０を含む。
【００１９】
さらに、図２の断面図に関して、特に構成要素である光ファイバ２０の拡大図に関して、各光ファイバ２０は、該ファイバがファイバ帯域Ｚ1〜Ｚxのいずれに属していても、コア直径Ｄcoreを有するコア２２と、クラッド直径Ｄcladを有するクラッドとを有する。少なくともいくつかの実施形態において、該当するクラッド２４の「外径」はクラッド直径Ｄcladと表されるため、このクラッド直径Ｄcladを、様々な態様においてファイバ直径ＤFと同義と見ることができる。いずれの場合も、ファイバ直径ＤF自体は、ファイバ帯域Ｚおよびバンドル半径ＲBに応じて増加するが、様々な実施形態では、Ｄcore／Ｄcladとして定められるコア対クラッド直径比Ｒccがファイバ帯域Ｚ1〜Ｚx全体で一定に保たれるように構成される。
【００２０】
コア対クラッド直径比Ｒccを概念的に説明するもう１つの方法は、構成要素である光ファイバ２０のコア２２とクラッド２４とのそれぞれが表す該光ファイバの断面積に関するものである。例えば、クラッド直径Ｄcladが同一である第１の光ファイバ２０と第２の光ファイバ２０とについて考えることにする。第１の光ファイバ２０のコア直径Ｄcoreが、第２の光ファイバ２０のコア直径Ｄcoreよりも小さい場合、第１の光ファイバ２０のコア対クラッド直径比Ｒccは、第２の光ファイバ２０に比べて小さい。別の観点で表すと、所与のクラッド直径Ｄcladの光ファイバ２０について、コア直径Ｄcoreが増加するということは、コア２２が光ファイバ２０の全断面積に対するパーセンテージの増加を示し、かつそれに応じてクラッド２４が光ファイバ２０の断面積に対するパーセンテージの減少を示すことに相当する。
【００２１】
出力画像が入力画像に対して角変位する光ファイババンドル１０の形成に関して、図２および図２Ａのような各光ファイバ２０の配列によりファイババンドル１０を形成することで、「ねじれ率」が大きくなることが理解されよう。なぜならば、ファイバ帯域内の比較的直径が大きい光ファイバ２０は、バンドルの中心軸線ＡCBから比較的離れているが、こうした光ファイバ２０は、ねじる際に最も延伸されはするものの、こうしたファイバの光伝送能力に悪影響が及ぶほどにファイバ直径ＤFが小さくなるまで、該ファイバが細くなることがないためである。この解決手段によって「ねじれ率」をさらに大きくすることができるため、画像を反転させる光ファイババンドル１０の全長をはるかに短くすることが可能となる。さらに、反転画像の解像度をバンドル直径ＤBにわたって一定にし、解像度がバンドルの中心軸線ＡCBからの半径方向の変位に応じて大幅に低下しないようにすることができる。
【００２２】
他の一構成によれば、ファイバ直径ＤFがファイバ帯域Ｚ1〜Ｚx全体で一定に保たれるのに対して、コア対クラッド直径比Ｒccはファイバ帯域Ｚに応じて変化する。一変形形態においては、最も内側の第１のファイバ帯域Ｚ1は、比較的高いコア対クラッド直径比Ｒccを有する光ファイバ２０を含み、最も外側の第３のファイバ帯域Ｚ3は、比較的低いコア対クラッド直径比Ｒccを有する光ファイバ２０を含み、少なくとも１つの中間の第２のファイバ帯域Ｚ2は、最も内側のファイバ帯域Ｚ1と最も外側のファイバ帯域Ｚ3との間に位置するとともに、第１のファイバ帯域Ｚ1のコア対クラッド直径比Ｒccと、第３のファイバ帯域Ｚ3のコア対クラッド直径比Ｒccとの間のコア対クラッド直径比Ｒccを有する光ファイバ２０を含む。いくつかのこうした変形形態では、各ファイバ帯域Ｚ内の光ファイバ２０は、均一な仕様にしたがって、帯域Ｚ全体にわたってコア対クラッド直径比Ｒccが同一となるように構成される。しかし他の変法では、少なくとも１つのファイバ帯域Ｚ内に、コア対クラッド直径比Ｒccが異なる光ファイバ２０が混在している。以下に、ファイバ帯域Ｚ全体でコア対クラッド直径比Ｒccが可変であるバンドル１０の他の２つの構成例について、図３および図４に示す模式的に表されたバンドル断面を併せて参照して、より詳細に論じる。
【００２３】
ここで図３を参照すると、この図３には、全体として、第１のファイバ帯域Ｚ1、第２のファイバ帯域Ｚ2および第３のファイバ帯域Ｚ3に位置する構成要素である複数の光ファイバ２０を含む、画像を伝達する剛性の光ファイババンドル１０の横断面を示す。各ファイバ帯域Ｚ1、Ｚ2およびＺ3内ではコア対クラッド直径比Ｒccは一定であるが、このＲccは、各ファイバ帯域Ｚ間では異なる。より具体的には、第１のファイバ帯域Ｚ1、第２のファイバ帯域Ｚ2および第３のファイバ帯域Ｚ3内では、コア対クラッド直径比Ｒccは、それぞれＲcc1、Ｒcc2およびＲcc3である。この特定のケースでは、ファイバ直径ＤFは、バンドル１０全体にわたって一定である。すなわち、クラッド直径Ｄcladは、第１のファイバ帯域Ｚ1、第２のファイバ帯域Ｚ2および第３のファイバ帯域Ｚ3の間では一定であるため、コア対クラッド直径比Ｒcc1、Ｒcc2およびＲcc3における差異は、第１のファイバ帯域Ｚ1、第２のファイバ帯域Ｚ2および第３のファイバ帯域Ｚ3の間でのコア直径Ｄcoreの差異に起因する。より具体的には、おおむね図３に示す通り、特定の縮尺に厳密に拘束されるものではないが、第１のファイバ帯域Ｚ1における光ファイバ２０のコア２２は、最大のコア直径Ｄcoreで構成されており、第２のファイバ帯域Ｚ2における光ファイバ２０のコア２２は、二番目に大きいコア直径Ｄcoreを有し、かつ第３のファイバ帯域Ｚ3における光ファイバ２０のコア２２は、最小のコア直径Ｄcoreを有する。すべてのファイバ帯域Ｚにわたってクラッド直径Ｄcladが一定であると仮定した場合、Ｒcc1＞Ｒcc2＞Ｒcc3が成り立ち、これは図３に示されている。
【００２４】
図４を参照すると、この図４には、コア対クラッド直径比Ｒccが異なる一実施形態の他の変法を簡潔に示す。本発明の全体の範囲および企図において多くの置換が可能であるが、図４の考察を通じて、より広い包括的概念をより単純化した形で示した。図３の実例と同様に、図４の例は、全体として、第１のファイバ帯域Ｚ1、第２のファイバ帯域Ｚ2および第３のファイバ帯域Ｚ3を含む。さらに、図３の例と同様に、本例を扱いやすくかつ単純なままとするため、クラッド直径Ｄcladを、第１のファイバ帯域Ｚ1、第２のファイバ帯域Ｚ2および第３のファイバ帯域Ｚ3全体で一定とする。そのため、各光ファイバ２０間でのコア対クラッド直径比Ｒccの差異は、各コア直径Ｄcore間の差異に起因する。
【００２５】
図４の例と図３の例との重要な相違点は、図４の例では、少なくとも１つの中間帯域（例えばこのケースではファイバ帯域Ｚ2）内のコア対クラッド直径比Ｒccに、意図的に差異がつけられているという点にある。各ファイバ帯域Ｚ内またはある程度の半径に応じた勾配にわたってコア対クラッド直径比Ｒccにある程度の差異がある場合もあるが、話を簡単にするために、ファイバ帯域Ｚ2内のみの差異を考えることにする。第１のファイバ帯域Ｚ1は、第１のコア対クラッド直径比Ｒcc1を有する光ファイバ２０のみを含み、第３のファイバ帯域Ｚ3は、第１のコア対クラッド直径比Ｒcc1よりも小さい第３のコア対クラッド直径比Ｒcc3を有する光ファイバ２０のみを含み、第２のファイバ帯域Ｚ2には、複数のコア対クラッド直径比Ｒccが混在している。この特定のケースでは、「Ｚ2における変数Ｒcc」と表示された括弧のすぐ上に例示された３つファイバ断面で示される通り、ファイバ帯域Ｚ2内には、第１のコア対クラッド直径比Ｒcc1、第２のコア対クラッド直径比Ｒcc2および第３のコア対クラッド直径比Ｒcc3を特徴とする複数の光ファイバ２０が存在する。前述の通り、この構成では、第２のコア対クラッド直径比Ｒcc2が第２のファイバ帯域Ｚ2に固有のものであるのに対して、第１のファイバ帯域Ｚ1はすべて第１のコア対クラッド直径比Ｒcc1の光ファイバ２０で占められており、第３のファイバ帯域Ｚ3はすべて第３のコア対クラッド直径比Ｒcc3の光ファイバ２０で占められている。
【００２６】
特定の実施形態の第２のファイバ帯域Ｚ2が、この第２のファイバ帯域Ｚ2に固有の第２のコア対クラッド直径比Ｒcc2のファイバ２０を含むか否かにかかわらず、第１のコア対クラッド直径比Ｒcc1と第３のコア対クラッド直径比Ｒcc3との双方を示す光ファイバ２０の混合体を第２のファイバ帯域Ｚ2内に含ませることによって、第１のファイバ帯域Ｚ1のファイバ２０と第３のファイバ帯域Ｚ3のファイバ２０との間の移行がよりスムーズで目立ちにくいものとなる。第２のファイバ帯域Ｚ2には、コア対クラッド直径比Ｒccが異なる各光ファイバ２０をランダムに分配してもよいし、十分に規則的に分配してもよい。少なくとも１つの構成において、第１のコア対クラッド直径比Ｒcc1の光ファイバ２０の第２のファイバ帯域Ｚ2への包含は、第１のファイバ帯域Ｚ1に近いほどより密であり、一方で第３のコア対クラッド直径比Ｒcc3の光ファイバ２０の第２のファイバ帯域Ｚ2への包含は、第３のファイバ帯域Ｚ3に近いほどより密であり、それによって、バンドル１０内での異なるコア対クラッド直径比Ｒccの、ある種の半径方向に応じた包含の勾配が定められる。各ファイバ帯域Ｚの間での視認可能な「段差」を回避することに加えて、コア対クラッド直径比Ｒccが異なる各光ファイバ２０を、半径方向の勾配にしたがってバンドル１０の断面全体に様々な密度で包含させることによって、加熱工程、延伸工程およびねじり工程や、異なるファイバ種に対して熱膨張の効果が異なることに伴って生じる構造応力が緩和される。
【００２７】
各ファイバ帯域Ｚ内であってもコア対クラッド直径比Ｒccの差異が想定されるため、いずれかの特定のファイバ帯域Ｚ内のコア対クラッド直径比Ｒccを、その帯域に適用できる平均コア対クラッド直径比Ｒccの典型例として概念化することが有用であると考えられ、その平均は、いずれのファイバ帯域Ｚにおいても、バンドルの中心軸線ＡCBからの半径方向の変位に伴って低下する。この概念化にしたがって、図４に、「平均Ｒcc1＞平均Ｒcc2＞平均Ｒcc3」であることを示す。微積分法の積分と同様に、環状のファイバ帯域Ｚの数がきわめて大きくなり、かつ各ファイバ帯域Ｚの環状の厚さがきわめて小さくなるにつれて、個々のファイバ帯域Ｚの呼称はより自由裁量に任されたものとなり、また半径方向に応じた勾配状のファイバの包含がますます「スムーズ」なものとなる。
【００２８】
前述のこと以外に、所与のいずれの構成の範囲においても、全ファイバ直径ＤFの差異とコア対クラッド直径比Ｒccの差異とは、互いに排他的なものではないことが理解されるべきである。より具体的には、ここまでの説明では、ファイバ直径ＤFがバンドルの中心軸線ＡCBからの半径方向の変位に応じて変化し、コア対クラッド直径比Ｒccがバンドル１０全体で一定であるというある択一的な構成と、ファイバ直径ＤFがバンドル１０全体で一定であり、コア対クラッド直径比Ｒccがバンドルの中心軸線ＡCBからの半径方向の変位に応じて変化するという択一的な構成とについて考えてきたが、ファイバ直径ＤFとコア対クラッド直径比Ｒccとの双方がバンドルの中心軸線ＡCBからの半径方向の変位に応じて変化するというバンドル構成も、本発明の範囲および企図に明示的に包含される。
【００２９】
前述の記載は、本発明の原理の例示と考えられるべきである。さらに、当業者であれば、本発明の範囲および趣旨から逸脱することなく、種々な態様および実装形態に対する修正および変更を行うものと考えられるため、前述の記載は、付属の特許請求の範囲に記載される本発明を、図示および記載された通りの構造、実装形態および変形形態に限定するものではないことが理解されるべきである。
【図１Ａ】
2019502963.tif 000003
【図１Ｂ】
2019502963.tif 000004
【図２】
2019502963.tif 000005
【図２Ａ】
2019502963.tif 000006
【図３】
2019502963.tif 000007
【図４】
2019502963.tif 000008
【国際調査報告】
2019502963.tif 000009